Podtech/llm-jp-corpus-v4-ja_patent huggingface dataset:
(57)【要約】４−（２−フルオロフェニル）−６−メチル−２−（１−ピペラジニル）チエノ[２，３−Ｄ]ピリミジンまたはその塩は、疼痛の処置に有用である。【特許請求の範囲】
【請求項１】
４−（２−フルオロフェニル）−６−メチル−２−（１−ピペラジニル）チエノ[２，３−Ｄ]ピリミジンまたはその塩の、疼痛の処置のための医薬の製造のための使用。
【請求項２】
該塩が、塩酸一水和物である。請求項１の使用。
【請求項３】
該疼痛が侵害受容疼痛である、請求項１または２の使用。
【請求項４】
該疼痛が、神経障害疼痛である、請求項１または２の使用。
【発明の詳細な説明】
【０００１】
発明の分野
本発明は、既知化合物の新規治療的使用に関する。
【０００２】
発明の背景
４−（２−フルオロフェニル）−６−メチル−２−（１−ピペラジニル）チエノ[２，３−Ｄ]ピリミジン１水和物は、既知であり（ＵＳ−Ａ−４６９５５６８参照）、そして抗うつ剤として活性が示された。それはセロトニンおよびノルアドレナリン再取りこみ阻止特性を有し、そしてこれらは、抗うつ剤としてのその作用の機構であり得る。該化合物はまた５ＨＴ−３阻止活性を有する。
【０００３】
疼痛は、軽度、中度または重度として特徴付けられる。それは性質において急性または慢性であることができる。急性疼痛は、数分または数日で解決する傾向にあるが、それが２週間くらいを超えて固執するならば、それはしばしば慢性と称する。疼痛は、外傷または炎症のためであることができ、そしてこれはしばしば、侵害受容疼痛と称する。しかし、疼痛は、単にこれらの原因のためではなく、おもに神経不全のためであり、または感覚インパルスの不全処理はしばしば神経障害または神経原性疼痛とよばれる。
【０００４】
急性侵害受容疼痛は、非ステロイド性抗炎症性薬物（ＮＳＡＩＤ）、例えばイブプロフェンおよびアスピリンで、それが軽度ならばよく処置する。中度疼痛のために、トラマドールおよびコデインは有用である。重度疼痛のために、アヘン剤例えばモルヒネがよく働く。
【０００５】
軽度ないし中度慢性侵害受容疼痛は、炎症のため、通常はＮＳＡＩＤおよびＣＯＸ−２阻害剤でよく処置するが、しかしこれらの薬物は、重い胃潰瘍および出血を引き起こすことができる。トラマドールはまた、非常に有効であるが、吐き気、嘔吐、および便秘を引き起こし得る。中度侵害受容疼痛のために、アヘン剤例えばオキシコデインまたはコデインが有用であるが便秘を引き起こす。重度侵害受容疼痛のために、アヘン剤例えばモルヒネが呼吸抑制および耽溺のリスクにかかわらず処置の大黒柱である。
【０００６】
神経障害疼痛のため十分な処置はあまりなく、ガバペンチンがこの目的のため許諾されている。新しい医薬は緊急に、神経障害疼痛のため要求される。また侵害受容疼痛のためのより安全かつ強い鎮痛の必要性がある。
【０００７】
発明の要約
驚くべきことに、前記既知化合物（ＭＣＩ−２２５とここに称する）が、疼痛の処置で活性を有することが見出された。セロトニンおよびノルアドレナリン再取りこみ阻止および５ＨＴ−３レセプター阻止のその組み合わせは、疼痛の活性の原因であるとして以前同定されていない。作用的原理の任意の好適な形態、例えばさらなる塩形態またはプロドラッグまたは活性メタボライトの形態は使用し得ることが認識される。
【０００８】
発明の記載
本発明によって、疼痛を処置、例えば制御または予防できる。この目的のために、活性化合物を、任意の好適な態様で、慣行希釈剤または担体とともに製剤化し得る。活性化合物は好ましくは、経口経路によって投与し得る；他の好適な投与経路は、舌下／口内、経皮、筋肉内、経腸、非経腸、皮下、肺および局所的を含む。活性剤の有効用量は、病気の性質および程度、患者の年齢および状態、および当業者に既知の他の要因に依存する。典型的な１日用量は０．１ｍｇないし５ｍｇであり得る。
【０００９】
有効活性成分を含む医薬組成物は、舌下錠剤またはパッチの形態であり得る。経口使用のため好適な組成物は、錠剤、トローチ、ローゼンジ、水性または油性懸濁品、分散可能粉末または顆粒、乳化液、ハードまたはソフトカプセル、シラップおよびエリクシルを含む。好適な添加物は、甘味料、香味料、着色料、および保存料を含む。錠剤は、有効活性成分を、非毒性薬学的許容賦形剤とともに含み、例えば不活性希釈剤、例えば炭酸カルシウム、炭酸ナトリウム、ラクトース、リン酸カルシウムまたはリン酸ナトリウム；顆粒化および崩壊剤、例えばコーンスターチ、またはアルギン酸；結合剤、例えば、スターチ、ゼラチン、またはアカシア、および滑沢剤、例えばステアリン酸マグネシウム、ステアリン酸またはタルクである。錠剤は、非被覆であり得、またはこれらは、既知技法によって被覆し、胃腸管での崩壊および吸収を遅延し、それによってより長い期間にわたり持続作用を提供し得る。例えば、時間遅延材料、例えば、グリセリルモノステアレートまたはグリセリルジステアレートを、使用し得る。これらはまた、制御放出のための浸透圧治療錠剤を形成し得る。ハードゼラチンカプセルは、不活性固体希釈剤、例えば炭酸カルシウム、リン酸カルシウムまたはカオリナイトを含み得る；ソフトゼラチンカプセルは、水または油媒体、例えばピーナッツオイル、液体パラフィンまたはオリーブオイルを含み得る。
【００１０】
以下の試験は、炎症性疼痛のインビボモデルの、経口用量３０ｍｇ／ｋｇのＭＣＩ−２２５の鎮痛性活性を示した。効果は、インドメタシン（１ｍｇ／ｋｇ）であって、慢性疼痛、例えば関節炎疼痛のために広く使用されるＮＳＡＩＤのそれに匹敵した。
【００１１】
試験
ラットの３群がビヒクル、インドメタシンまたはＭＣＩ−２２５を受容した。これらはそれぞれの群１３匹であった。炎症性疼痛は、修飾Randall Selitto法で誘導し、そして炎症脚の疼痛閾値は、脚圧鎮痛測定器（paw pressure analgesiometer）を使用して測定した。脚引きこみのための閾値は、投与１および３時間後にグラムで測定した。結果は以下の表に示す。
【００１２】
【表１】
2004531557.tif 000002
ｓｄ＝標準偏差
ビヒクル処置群からの相違の統計的有意性：＊ｐ＜０．０５、＊＊ｐ＜０．０１
【００１３】
結果は、ＭＣＩ−２２５が、疼痛閾値を１時間で３２．３ｇおよび3時間で６６．９ｇ増加できたことを示す。これらの値および同じ時間間隔のビヒクルについてのものの間の統計的に有意な相違がある。これに基づき、ＭＣＩ−２２５は、炎症および他の疼痛の処置に有用である。
【国際公開パンフレット】
2004531557.tif 000003
2004531557.tif 000004
2004531557.tif 000005
2004531557.tif 000006
2004531557.tif 000007
2004531557.tif 000008
【国際調査報告】
2004531557.tif 000009
2004531557.tif 000010
(57)【要約】この電気機械装置はナビゲーション・キー（１５）を含むキーボード（１２）を備え、片側にある利用者が押し下げる表面と反対側にあるいくつかの接触点（２１、２２、２３及び２４）を表すものである。キーの押し下げ時にいくつもの接触装置の起動を避けるため、肋骨（３０）形状部を設けて接触点を隔離して多くの接触装置を避ける。セルラ無線電話機への応用。
2004537829.tif 000002
【特許請求の範囲】
【請求項１】
少なくとも一つのキーを含むキーボードを備えた電気機械装置であって、片側にある利用者が押し下げる表面と反対側にあるいくつかの接触点を表し、当該接触点を隔離するために肋骨形状部を設けることを特徴とする電気機械装置。
【請求項２】
「Ｈ」の脚部が前記接触点を取り囲む形で前記肋骨形状部が表されることを特徴とする請求項１記載の電気機械装置。
【請求項３】
前記キーボードがゴム材質のメンブレンから形成されることを特徴とする請求項１乃至２の何かに記載の電気機械装置。
【発明の詳細な説明】
【技術分野】
【０００１】
本発明は少なくとも一つのナビゲーション・キーを含むキーボードを備えた電気機械装置であって、片側にある利用者が押し下げる表面と反対側にあるいくつかの接触点を表す電気機械装置に関するものである。
【０００２】
本発明は、特に前記機械装置が無線電話機であって、かつ、それは前記ナビゲーション・キーを操作することによってその画面上でいくつかの操作メニューをスクロールさせるのに便利であるので、産業上の利用に有利な応用に関するものである。
【背景技術】
【０００３】
前記機械装置は周知の型のものである（例えば、特許文献１参照。）。
【特許文献１】
欧州特許第０５８１５８３号明細書
【発明の開示】
【発明が解決しようとする課題】
【０００４】
当該特許文献では前記ナビゲーション・キーの中心に利用者に対してよりよい快適さを与える突起を設けることが提案されている。他方では、一方向での押し下げの間に、例えば、メニューの画面移動を妨げるいくつもの接触装置は起動しないという点については指摘されていない。
【課題を解決するための手段】
【０００５】
本発明は本明細書の冒頭部分に記載した、前記ナビゲーション・キーの高い操作性が設けられ、かつ多くの接触装置を大部分は避けるのと同時にゴム製キーを利用する小型の機械装置によく適した機械装置を提案するものである。
【０００６】
当該機械装置は前記接触点を隔離するために設けられた肋骨形状部によって特徴付けられる。
【発明を実施するための最良の形態】
【０００７】
本発明の全ての特徴は明白になり、非限定的例示として、本明細書及び特許請求の範囲にて記載する実施例を参照する。
【０００８】
図１は本発明に従った機械装置を例示する図である。この機械装置は、例えば、セルラ・ネットワークに形成された電話機である。この機械装置は画面５が備えつけられたハウジング１、スピーカ７、マイクロホン１０とキーボード１２を含む。当該キーボード上ではメンブレンＦ１の第１面に配置したナビゲーション・キー１５を特徴付ける。当該キーは上から下に、かつ、右から左に移動でき、そしてそれはスクロール、例えば、スクロール・メニューの項目、のための４つの接触装置があることを暗に意味する。
【０００９】
前記キーは前記メンブレン上に形成される。図２に例示する当該メンブレンはゴム、又は類似の材質でできている。前記図２は参照番号Ｆ２のメンブレンの第２面の斜視図である。当該面には前記ハウジング１に設置したプリント配線（参照図面なし）に設ける接触装置に支えられた接触点２１、２２、２３及び２４が表示される。
【００１０】
本発明によれば、当該接触点は少なくとも一部分は肋骨３０形状部によって取り囲まれる。例示中の当該肋骨は前記接触点を隔離する「Ｈ」の形をしている。
【００１１】
図３はナビゲーション・キー１５を例示する拡大図である。当該図では参照番号３１は接触点２３と肋骨３０との間に設けた空間の番号である。参照番号３２は肋骨３０と接触点２２との間の空間を示す。断面線ＸＸは前記の個々の構成要素、すなわち２３、３１、３２及び２２を通り抜ける。同様に空間３５を接触点２１と肋骨３０との間に設け、かつ、肋骨３０と接触点２４との間の別のリブ（ａｎｏｔｈｅｒ  ｒｉｂ）を３６と表した。断面線ＹＹは当該構成要素、すなわち２１、３５、３６及び２４を通り抜ける。
【００１２】
図４は断面ＸＸを例示する図である。当該図は接触点２２、２３、空間３１と３２の相対寸法と更に肋骨３０の重要性を示す。
【００１３】
図５は断面ＹＹの図であって、構成要素２１、３５、３０、３６及び２４を例示する。
【図面の簡単な説明】
【００１４】
【図１】本発明による電子機械装置を例示する図である。
【図２】接触点を取り囲む肋骨を含むキーボードの表面を例示する図である。
【図３】ナビゲーション・キーを断面線と共に例示する拡大図である。
【図４】前記の一方の断面を例示する図である。
【図５】前記の他方の断面を例示する図である。
【国際公開パンフレット】
2004537829.tif 000003
2004537829.tif 000004
2004537829.tif 000005
2004537829.tif 000006
2004537829.tif 000007
2004537829.tif 000008
2004537829.tif 000009
【国際調査報告】
2004537829.tif 000010
2004537829.tif 000011
(57)【要約】ベースウェブおよびベースウェブ上でハイドロエンタングリングされたエアレイ法で形成された繊維からなるウェブ。ウェブは、合成繊維、エアレイ法で形成されたセルロース繊維、あるいは、ベースウェブ上でフラフの形でエアレイ法で形成された合成繊維と混合された合成繊維もしくはセルロース繊維からなるベースウェブを含む。ウェブの重さは、８０〜２０００ｇ／ｍ２の間の重さである。本発明の特に丈夫なウェブは、例えば、段ボールあるいは熱および／または音を遮断する材料を製造するために有用に用いられ得る。【特許請求の範囲】
【請求項１】
少なくとも、主に、合成繊維、エアレイ法で形成されたセルロース繊維、または、ベースウェブ上でフラフの形でエアレイ法で形成された合成繊維と混ぜられた合成繊維もしくはセルロース繊維からなるベースウェブと、
該フラフを該ベースウェブ上でハイドロエンタングリングすることによって得られる構造と
を含むウェブであって、該ウェブは、８０〜２０００ｇ／ｍ２の間の重さである、ウェブ。
【請求項２】
前記ベースウェブ上でエアレイ法で形成されたフラフは、合成繊維と混合されたセルロース繊維からなり、該合成繊維は、熱処理によって、該セルロース繊維に結合され、互いに結合される、請求項１に記載のウェブ。
【請求項３】
前記ウェブは、ストリーム（ｓｔｒｅａｍ）を、該ウェブにダストを結合するため噴出することによって得られる構造を有する、請求項１に記載のウェブ。
【請求項４】
前記ウェブの少なくとも１つの側面上にホットメルトされたプラスチックの層と、
該ウェブの少なくとも１つの側面上の少なくとも１つの不織布ウェブと
を含む、請求項１に記載のウェブ。
【請求項５】
前記ウェブの少なくとも１つの側面上に、メルトブローン繊維（ＳＭＭＳ）または複合繊維、ならびに／あるいは、これらの組合せの少なくとも１つの層を含む、請求項１に記載のウェブ。
【請求項６】
前記ウェブの少なくとも１つの側面上に、少なくとも１つのカード法で形成されたウェブを含む、請求項１に記載のウェブ。
【請求項７】
前記ウェブの少なくとも１つの側面上に、少なくとも１つのカード法で形成されたウェブと、
該ウェブの少なくとも１つの側面上に、例えばプラスチックの膜と
を含む、請求項１に記載のウェブ。
【請求項８】
前記ウェブの少なくとも１つの側面上にバインダを含む、請求項１に記載のウェブ。
【請求項９】
前記ウェブはカレンダー法にかけられる、請求項１に記載のウェブ。
【発明の詳細な説明】
【０００１】
本発明は、少なくとも、主に、合成繊維、エアレイ法で形成された（ａｉｒ−ｌａｉｄ）セルロース繊維、または、ベースウェブ上でフラフ（ｆｌｕｆｆ）の形でエアレイ法で形成された合成繊維と混合された合成繊維もしくはセルロース繊維からなるベースウェブを含むウェブ、ならびに、フラフをベースウェブ上でハイドロエンタングリング（ｈｙｄｒｏｅｎｔａｎｇｌｉｎｇ）することによって得られる構造に関する。
【０００２】
ハイドロエンタングリングプロセスの間、例えば１００バールの高さの圧力の影響下で、水のジェットが、多数のノズルからベースウェブ上の繊維フラフに向かって噴出される。
【０００３】
ベースウェブは、水のジェットからの重い負荷に耐えるために十分な強度を有する必要があり、従って、通常、合成繊維から製造される。
【０００４】
いくつかの場合において、ベースウェブは、スパンボンデッド／メルトブローン（ＳＭＭＳ）ウェブであってもよいが、通常は、エアレイ法で形成された繊維フラフのハイドロエンタングリングの間にエアレイ法で形成された繊維フラフのベースとして用いられる前に、ハイドロエンタングリングされ、乾燥された、カード法で形成された繊維から形成される。
【０００５】
従来、このようなウェブは、２０〜８０ｇ／ｍ２の間の重さであり、広い範囲で、使い捨ての不織布製品、例えば、女性用生理用品、大人用おむつ、ダイヤパー、ナプキン、ティッシュ、およびタオルの製造に用いられている。
【０００６】
しかし、本発明によるウェブは、８０〜２０００ｇ／ｍ２の間の重さの特に丈夫なウェブであり、このようなウェブは、ベースウェブおよびベースウェブ上にハイドロエンタングリングされたフラフだけでなく、異なる種類の層と積層され得る。
【０００７】
このような他の層の例として、ハイドロエンタングリングされたウェブの少なくとも１つの側面上のホットメルトされたプラスチックの層、および溶解されたプラスチック上の少なくとも１つの不織布ウェブが挙げられ得る。
【０００８】
他の層の他の例には、ウェブの少なくとも１つの側面上のメルトブローン繊維（ＳＭＭＳ）または複合繊維、ならびに／あるいは、これらの組合せの少なくとも１つの層が含まれる。
【０００９】
他の層の第３の例には、ウェブの少なくとも１つの側面上の少なくとも１つのカード法で形成されたウェブが含まれる。
【００１０】
他の層の第４の例には、ウェブの少なくとも１つの側面上の少なくとも１つのカード法で形成されたウェブ、および、ウェブの少なくとも１つの側面上の、例えばプラスチックの膜が含まれる。
【００１１】
上記の種類の特に丈夫なウェブは、通常、カレンダー法にかけられ、例えば、段ボール、あるいは、熱および／または音を遮断する材料を製造するために、有用に用いられ得る。
【国際公開パンフレット】
2004516390.tif 000002
2004516390.tif 000003
2004516390.tif 000004
2004516390.tif 000005
2004516390.tif 000006
【国際調査報告】
2004516390.tif 000007
2004516390.tif 000008
2004516390.tif 000009
(57)【要約】ピストンを製造するために後でアルミニウム溶融物で鋳包まれる、溶接された金属薄板冷却通路（５）を備えたリング支持体（１）を製造するための方法において、オイル供給及びオイル導出のための開口（４）の製造をより簡単にしたい。このために、この開口は、冷却されたリング支持体を鋳包む前に既に製造される。冷却通路リング支持体をアルフィン前処理する際に、この冷却通路リング支持体は、溶融物で満たされ、アルフィン浴から取り出す際に空にされる。
2004516943.tif 000002
【特許請求の範囲】
【請求項１】
溶接された金属薄板冷却通路（５）を備えたリング支持体（１）を製造するための方法であって、金属薄板冷却通路（５）が冷却オイルを供給及び導出するための開口（４）を有しており、溶接された冷却通路（５）を備えたリング支持体（１）を、製造後に浸漬浴内でアルフィン前処理し、次いで鋳型内で溶融物によって鋳包んで、ピストンを製造する方法において、
鋳包む前に金属薄板冷却通路（５）の開口（４）を製造することを特徴とする、溶接された金属薄板冷却通路を備えたリング支持体を製造するための方法。
【請求項２】
金属薄板通路（５）を折り曲げ成形する前に、平らな金属薄板或いは溶接された金属薄板通路（５）から開口（４）を打ち抜き成形するか又は機械的に加工する、請求項１記載の方法。
【請求項３】
アルフィン前処理時に冷却通路を溶融物で満たす、請求項１又は２記載の方法。
【請求項４】
請求項１から３までのいずれか１項記載の、溶接された金属薄板通路を備えたリング支持体を製造するための方法において、
冷却通路の開口を、鋳包み時に主軸によって閉鎖し、それと同時にこれらの主軸が、金属薄板冷却通路を備えたリング支持体を鋳型内で位置決めするようにすることを特徴とする、溶接された金属薄板通路を備えたリング支持体を製造するための方法。
【請求項５】
主軸の内部を排気する、請求項４記載の方法。
【発明の詳細な説明】
【０００１】
本発明は、請求項１の上位概念部に記載した、溶接された金属薄板冷却通路を備えたリング支持体を製造するための方法に関する。
【０００２】
このような形式のリング支持体は、例えばドイツ連邦共和国特許第１９７５００２１号明細書、米国特許第４９０７５４５号明細書、特開平５−２４０３４７号公報又はドイツ連邦共和国実用新案登録第７２１２５６０号明細書により公知である。この場合、金属薄板冷却通路を備えたリング体は閉じた状態で鋳込まれて、ピストンの製造後にはじめて冷却オイル供給用の開口が穿孔によって形成される。金属薄板冷却通路の材料は一般的にはオーステナイト鋼より成っているので、冷却通路の穿孔及びばり取りは困難である。
【０００３】
そこで本発明は、冒頭に述べた形式の方法において、冷却通路に開口を形成するための簡単な手段を提供することである。
【０００４】
この課題を請求項１の特徴部によって解決される。有利な実施態様は従属請求項に記載されている。
【０００５】
冷却通路リング支持体を鋳包む前に開口を形成することがより簡単である。アルフィン前処理（Ａｌｆｉｎｖｏｒｂｅｈａｎｄｌｕｎｇ）の際に金属薄板冷却通路内に侵入する溶融物は不都合ではないことが証明されている。何故ならばこの溶融物は、アルフィン浴から冷却通路リング支持体を取り除いた後で十分に流出するからである。
【０００６】
鋳型内でピストンを製造する際に、冷却通路リング支持体は有利には主軸によって保持され、この主軸は同時に金属薄板冷却通路の開口を閉鎖するようになっている。
【０００７】
本発明を以下に図面を用いて詳しく説明する。
【０００８】
図１は、鋳包む前に製造された、金属薄板冷却通路及び開口を備えた本発明によるリング支持体である（横断面図）。
【０００９】
リング支持体１は、外側の保持リング２と内側３とを有しており、この内側３は、金属薄板リング若しくは金属薄板冷却通路５と共に、内燃機関のためのピストンの閉鎖された冷却通路を形成している。リング支持体１と金属薄板リング５とは、互いに溶接されている。
【００１０】
金属薄板リング５内には複数の開口４が形成されており、これらの開口４で以て冷却通路リング支持体は後で、鋳型の主軸（Ｐｉｎｏｌｅ）に差し込まれる。この場合、主軸は内部が排気されていて、主軸の直径は、ピストンの鋳包み成形時に溶融物が金属薄板冷却通路内に十分に侵入するのを妨げないように、開口４に合わされている。
【図面の簡単な説明】
【図１】
鋳包む前に製造された、金属薄板冷却通路及び開口を備えた本発明によるリング支持体の横断面図である。
【国際公開パンフレット】
2004516943.tif 000003
2004516943.tif 000004
2004516943.tif 000005
2004516943.tif 000006
2004516943.tif 000007
2004516943.tif 000008
【国際調査報告】
2004516943.tif 000009
2004516943.tif 000010
2004516943.tif 000011
2004516943.tif 000012
2004516943.tif 000013
2004516943.tif 000014
(57)【要約】捕捉ディジタルデータ信号をダウンロードするための出力ポートの有る血糖モニター等の独立モニター装置に用いられる経電話処理及び記憶装置（１０）が開示される。装置（１０）にはメモリ手段と、制御手段と、トランスジューサ手段と、出力手段が有り、上記ダウンロードされた捕捉信号が上記トランスジューサ手段によりオーディオ送信信号に変換され、該オーディオ送信信号が上記メモリ手段に記憶され、電話ネットワークに遅延送信され、前記制御手段がこの装置の動作を制御するようにして成る。
2004516777.tif 000002
【特許請求の範囲】
【請求項１】
捕捉ディジタルデータ信号をダウンロードするための出力ポートの有る血糖モニター等の独立モニター装置に用いられる経電話処理及び記憶装置であって、該装置にはメモリ手段と、制御手段と、トランスジューサ手段と、出力手段を有し、上記ダウンロードされた捕捉信号が上記トランスジューサ手段によりオーディオ送信信号に変換され、該オーディオ送信信号が上記メモリ手段に記憶され、電話ネットワークに遅延送信され、前記制御手段がこの装置の動作を制御するように構成して成る装置。
【請求項２】
トランスジューサ手段がデータを、オーディオ信号としてスピーカー出力に送られる信号に変換するように構成して成る請求項１に記載の装置。
【請求項３】
オーディオ信号が電話ネットワークを介して遠隔受信ステーションに送られ、後者が受信信号を復号化及び解析するように構成して成る請求項２に記載の装置。
【請求項４】
前記メモリ手段からのオーディオ信号の送信を作動するための切り換え手段を有するように構成して成る請求項３に記載の装置。
【発明の詳細な説明】
【０００１】
【産業上の利用分野】
本発明は患者の生理学的モニタリング、特に、記録されたデータを、電話ネットワークを介して遠隔地に送信し、そこでデータが復号化され、解析されるようにする生理学的信号捕捉装置に関する。
【０００２】
【従来の技術】
記録血糖データを遠隔監視場所に遅延送信して、データが分析・解析され、内科医に報告されるようにする血糖測定装置が、その場合に捕捉ディジタルデータを処理と記憶のための処理ユニットに出力し、電話ネットワークを介して送信するのに適したアナログオーディオ信号に変換するようにしたディジタルデータ捕捉装置を備えてあれば有利であろう。
更にまた、その処理ユニットが、データの実時間での捕捉・表示に用いられる独立型捕捉装置からのディジタル信号の処理に適用可能であれば有利であろう。
【０００３】
【発明が解決しようとする課題】
本発明の目的は、上記の利便を実質的に適える処理装置を提供することにある。少なくとも本発明の目的は、既知の監視及び表示装置の代替を提供することにある。
【０００４】
【課題を解決するための手段】
本発明の一側面によれば、捕捉ディジタルデータ信号をダウンロードするための出力ポートの有る血糖モニター等の独立モニター装置に用いられる経電話処理及び記憶装置であって、該装置にはメモリ手段と、制御手段と、トランスジューサ手段と、出力手段を有し、上記ダウンロードされた捕捉信号が上記トランスジューサ手段によりオーディオ送信信号に変換され、該オーディオ送信信号が上記メモリ手段に記憶され、電話ネットワークに遅延送信され、前記制御手段がこの装置の動作を制御するように構成して成る装置が提供される。
好ましくは、トランスジューサ手段はデータを、好ましくはオーディオ信号としてスピーカー出力に送られる信号に変換するように構成され、上記オーディオ信号は好ましくは電話ネットワークを介して遠隔受信ステーションに送られ、該ステーションは受信信号を復号化及び解析するように構成される。
好ましくは、装置は前記メモリ手段からのオーディオ信号の送信を起動するための切り換え手段を有するように構成される。
【０００５】
【実施態様】
次に、添付図面を参照して本発明を説明する。
図面には、処理装置１０が示されている。装置１０は、出力ポート１２の有る血糖モニター１１からダウンロードされた捕捉ディジタルデータを処理するのに用いられる。装置１０はケーブル１３で出力ポート１２に接続されている。モニター１１は、生理学的検査の結果の表示に用いられる形式のものであるが、出力ポート１２を備えていて、捕捉されたディジタルデータ信号をそれによりコンピュータ等にダウンロードできるようになっている形式のものである。勿論、装置１０は、適宜の出力ポート１２の有る同様のモニターの何れにも用いることが出来る。
装置１１には、マイクロプロセッサ１５及び増幅器１６を含む制御器と、経電話ハードウェア・ソフトウェア変換器１７と、メモリ１８と、スピーカー１９が備わる。捕捉されたディジタルデータは装置１０で処理され、経電話ハードウェア・ソフトウェア変換器１７により適宜のオーディオ信号に変換され、次いでメモリ１８に記憶される。装置１０の本体に設けられた送信ボタン２０が押されて作動すると、制御器１４はスピーカー１９がオーディオ信号を発信するようにする。次いで、これ等のオーディオ信号は電話ネットワーク上の音響結合電話接続を介して遠隔受信ステーションに送られる。データは実時間で送信されるようにしても、時間をおいて、メモリからの検索後に送られるようにしても良い。
遠隔受信ステーションは好ましくは、音響結合データを自動的に復号化し、分析し、内科医のためのレポートを作る。
アナログ・ディジタルデータの符号化・復号化の技術は、周波数又は位相変調、デュアルトーンマルチフレケンシー等と、種々の形式で具体化が可能である。
上記は本発明の実施例を若干記すものであり、本発明の範囲を逸脱することなく当業者に自明な変更が可能である。
【図面の簡単な説明】
【図１】
本発明装置の概略的ブロック図である。
【国際公開パンフレット】
2004516777.tif 000003
2004516777.tif 000004
2004516777.tif 000005
2004516777.tif 000006
2004516777.tif 000007
2004516777.tif 000008
2004516777.tif 000009
【国際調査報告】
2004516777.tif 000010
2004516777.tif 000011
2004516777.tif 000012
(57)【要約】本発明は、リファイナーならびにプラズマアシスト法による前記リファイナーの工具の表面処理法に関する。前記方法により、異種イオンおよび付加的な硬質材料層は工具の表面に設置され、より耐摩耗性の形になる。【特許請求の範囲】
【請求項１】
鉄材料、有利にはキャスティング材料から成る表面処理工具の摩耗低下を目的とするリファイナーにおいて、はじめに工具の作用面の表面中にプラズマアシスト法により、５００μｍまでの侵入深さまで異種イオンを装入し、ならびに付加的に硬質材料層を工具の表面に設けることを特徴とする、リファイナー。
【請求項２】
異種イオンとして窒素イオン、炭素イオン、モリブデンイオン、チタンイオン、タングステンイオン、バナジウムイオンまたはホウ素イオンを注入する、請求項１に記載のリファイナー。
【請求項３】
硬質材料層は、周期系のＩＶｂ、Ｖｂ、ＶＩｂ族の元素の亜硝酸塩、カーバイドおよび／またはオキシド、カルボニトリドおよび／またはオキシカルボニトリド、または元素ホウ素、アルミニウム、ケイ素、モリブデン、タングステンの窒化物、またはチタンカルボニトリドおよび／または亜硝酸チタンを有する、請求項１に記載のリファイナー。
【請求項４】
工具は、コーンとしてまたはディスクもしくはセグメントとして形成されている、請求項１から３までのいずれか１項に記載のリファイナー。
【請求項５】
リファイナーの工具の表面処理法において、工具の表面中への異種イオンの装入ならびに表面での硬化材料層の設置を、１回の作業工程で行うことを特徴とする、リファイナーの工具の表面処理法。
【発明の詳細な説明】
【０００１】
技術的分野
紙および／またはパルプ工業では、いわゆるリファイナーが使用されており、それにより例えば、木材パルプおよび／またはパルプならびにぼろパルプおよびリサイクリング材料を粉砕することができる。この目的のために、リファイナーは工具、すなわち粉砕工具が必要とされ、前記粉砕工具は、リファイナーの形態に応じて、例えば、コーンリファイナーまたはディスクリファイナーとして、コーンまたはディスクまたはセグメントとして形成される。これらの部材は、非常に高い摩耗に曝される。従って、以前からこのようなタイプの工具の耐摩耗性を高める試みが成されてきた。これに基づき、作用物質の選択にはこれまでに多くの注意が払われており、従ってこのタイプの工具は、例えば、耐酸性スチールおよび／またはキャスティング材料から製造される。スチールから成る工具は、例えば始めに必要とされる表面で硬化される。
【０００２】
本発明の記載と実施方法
本発明は、粉砕工具ならびに方法をもたらす又は提案するという課題を根底に成し、これにより目的とする処理を用いて、長続きする作用を有するリファイナーの工具を安定させることができる。
【０００３】
前記の課題は、はじめに工具の作用面の表面中に、プラズマアシスト法により、５００μｍまでの侵入深さで異種イオン（Ｆｒｅｍｄｉｏｎ）を装入し、ならびに付加的に硬質材料層を表面に設けることにより本発明のリファイナーにおいて解決された。異種イオンの設置は、特定のエネルギーを有する加速イオンにより行われる。注入すべき異種イオンは、反応性プラズマ中で作用物質表面中に包囲される。この場合に、注入される異種イオンの数およびそれらの侵入深さは、異種イオンの相応する濃度により可変である。すなわち、注入される異種イオンの数およびそれらの侵入深さは、正確に確定することができ、かつ使用材料および異種イオンのエネルギーに依存する。この種の方法は、プロセスにおいて僅かなパラメータ、すなわち、異種イオン用量、粒子のエネルギーおよび衝撃時間にだけに注意すればよいという点において特に有利である。従って、プロセスは極めて良好に制御可能であり、かつ結果が簡単に再現可能である。付加的に、硬質材料層が設置され、これにより表面構造が圧縮される付加的な利点が生じる。
【０００４】
本発明の有利な態様の特徴は、特に、一方では異種イオンの組成物に関して、他方では硬質材料層に関して、従属形式請求項中に含まれている。
【０００５】
本発明に関して、工具の表面中への異種イオンの注入ならびに表面への硬質材料層の設置を１回の作業工程において行う方法による措置が特に重要である。
【０００６】
本発明の範囲内における工具としては、コーンリファイナーの場合には、コーン、またはディスクリファイナーもしくはダブルディスクリファイナーの場合には、ディスクもしくはセグメントが挙げられる。
【国際公開パンフレット】
2004501762.tif 000002
2004501762.tif 000003
2004501762.tif 000004
2004501762.tif 000005
【国際調査報告】
2004501762.tif 000006
2004501762.tif 000007
2004501762.tif 000008
2004501762.tif 000009
(57)【要約】本発明は、アルデヒドの製造方法に関する。本方法は、銅／亜鉛酸化物触媒の存在下、２００〜２８０℃の温度範囲および１０ｍｂａｒ〜１ｂａｒの圧力範囲で、脂肪アルコールを連続的に脱水素することからなる。【特許請求の範囲】
【請求項１】
２００〜２８０℃の温度および１０ｍｂａｒ〜１ｂａｒの圧力において、銅／亜鉛酸化物触媒の存在下、脂肪アルコールを連続的に脱水素するアルデヒドの製造方法。
【請求項２】
式（Ｉ）：
【化１】
2004501881.tif 000003
［式中、Ｒ１は、６〜２２個の炭素原子を含む、直鎖または分岐の、飽和または不飽和の、アルキルおよび／またはアルケニル基である。］
に示される脂肪アルコールを使用することを特徴とする請求項１に記載の方法。
【請求項３】
クロム、カドミウム、セリウム、バリウム、ケイ素および／またはアルミを他の金属成分として含む銅／亜鉛触媒を使用することを特徴とする請求項１または２に記載の方法。
【請求項４】
該触媒を固定床に配置することを特徴とする請求項１〜３のいずれかに記載の方法。
【請求項５】
脱水素を２４０〜２６０℃の温度範囲で行うことを特徴とする請求項１〜４のいずれかに記載の方法。
【請求項６】
脱水素を２０〜４０ｍｂａｒの圧力下で行うことを特徴とする請求項１〜５のいずれかに記載の方法。
【請求項７】
脱水素を１〜３（時間）−１の液空間速度（ＬＨＳＶ）で行うことを特徴とする請求項１〜６のいずれかに記載の方法。
【請求項８】
キャリヤーガスとしての窒素の存在下、脱水素を行うことを特徴とする請求項１〜７のいずれかに記載の方法。
【発明の詳細な説明】
【０００１】
（技術分野）
本発明は、一般に香料に関し、特に脂肪アルデヒドの新規な製造方法に関する。
【０００２】
（背景技術）
例えば、１−オクタナールまたは１−デカナール等の低級アルデヒドは、香料産業に必要とされている原料である。例えば、４−メトキシ−２，２，６，６−テトラメチルピペリジン−１−イルオキシル（「Ｔｅｍｐｏ」）の存在下、次亜塩素酸塩を用いた酸化によるそれらの脂肪アルコールからの製造が、従来技術から知られている。空気によるアルコールの酸化を、ルテニウムまたは白金触媒の存在下に行うことが出来る。更に、ペンタカルボニル鉄の影響の下、不飽和アルコールをアルデヒドへ異性化することが出来る。アルデヒドは、アドキンス型の銅酸化物触媒上の水素化によるか、または酸化チタン（ＩＶ）の存在下で過酸を用いた反応により、脂肪酸から得られる。ＲＯ０１１１８２０（Ｃｏｍｂ． Ｃｈｉｍ． Ｒｉｍｎｉｃｕ Ｖｉｌｃｅａ）は、脂肪アルコールの脱水素へ不均一銅酸化物触媒の使用について報告している。同じ目的に対して、鉄をドープした銅触媒が、ＥＰ０３２００７４Ａ１（Ｅｎｇｅｌｈａｒｄ）に提案されている。古典的な方法は、酸クロリドをリンドラー触媒上で相当するアルデヒドへ水素化するローゼンムント反応である。これに関連する参考文献を以下に示す：Ｊ． Ａｍ． Ｃｈｅｍ． Ｓｏｃ． １０９， ３７８６（１９８７）、Ｊ． Ｏｒｇ． Ｃｈｅｍ． ５２， ２２５９（１９８７）、およびＴｅｔｒａｈｅｄｒｏｎ Ｌｅｔｔ． ２８， ４５７５（１９８７）。
【０００３】
（発明の開示）
（発明が解決しようとする技術的課題）
残念ながら、既知の方法は、それらが、装置集約的であり、低収率を与え、および／または不十分な選択率により特徴付けられるという欠点を有する。従って、本発明が解決しようとする課題は、従来技術の上記不利益を確実に避けることの出来る新規な方法を提供することである。
【０００４】
（その解決方法）
本発明は、２００〜２８０℃の温度および１０ｍｂａｒ〜１ｂａｒの圧力において、銅／亜鉛酸化物触媒の存在下、脂肪アルコールを連続的に脱水素するアルデヒドの製造方法に関する。
【０００５】
（従来技術より有効な効果）
上記触媒の使用により、脂肪アルコールを、脂肪アルデヒドへ、理論収率の６０％を超える収率および理論選択率の９０％を超える選択率で、連続的に脱水素できることが、驚くべきことに見出された。
脂肪アルコール
本発明の方法の適当な出発物質は、直鎖または分岐の、飽和または不飽和の第一アルコール（単純化のために脂肪アルコールと総称する。）であって、好ましくは、式（Ｉ）：
【化２】
Ｒ１ＯＨ　　　　（Ｉ）
［式中、Ｒ１は、６〜２２個、好ましくは、８〜１２個、特に８〜１０個の炭素原子を含む、直鎖または分岐の、飽和または不飽和の、アルキルおよび／またはアルケニル基である。］
で示される。代表的な例は、例えば、脂肪および油に基づく工業的メチルエステルまたはＲｏｅｌｅｎのオキソ合成によるアルデヒドの高圧水素化、および不飽和脂肪アルコールの二量化におけるモノマー部分として得られる、カプロンアルコール、カプリルアルコール、２−エチルヘキシルアルコール、カプリンアルコール、ラウリルアルコール、イソトリデシルアルコール、ミリスチンアルコール、セチルアルコール、パルミトレイルアルコール、ステアリルアルコール、イソステアリルアルコール、オレイルアルコール、エライジルアルコール、ペトロセリニルアルコール、リノリルアルコール、リノレンアルコール、エルシルアルコール、およびブラシジルアルコール、並びにそれらの工業的混合物である。カプリルアルコール（１−デカノール）およびその混合物が好ましく用いられる。
【０００６】
合成
脂肪アルデヒドは、固定触媒床を有するシャフト反応器で好ましく製造される。銅／亜鉛酸化物触媒は、市販のアドキンス触媒、すなわち他の金属成分としてクロム、カドミウム、セリウム、バリウム、ケイ素および／またはアルミを好ましく含む、スピネル構造の固体である。塩基性銅／亜鉛／アルミ酸化物が特に好ましい。反応は、２００〜２８０℃の温度、好ましくは２４０〜２６０℃の温度で通常行われる。脱水素は、無加圧下または２０〜４０ｍｂａｒの減圧下で好ましく行われる。液空間速度（ＬＨＳＶ）は、１〜３（時間）−１の範囲、好ましくは、１．１〜２．６（時間）−１の範囲である。脂肪アルデヒドの収率は、理論値の少なくとも６０％、好ましくは６５〜７０％であり、一方、選択率は、少なくとも９０％および好ましくは９５％〜９８％である。キャリヤーガスとしての窒素の存在下で脱水素を行うことが望ましい。
【０００７】
（実施例）
固定触媒床を有する連続圧力容器で、脂肪アルコールを、２５０℃の温度および２０ｍｂａｒないし常圧の圧力下で脱水素して、相当するアルデヒドを得た。試験結果を表１に示す。理論値の９０％を超える選択率を伴い、６０〜７０％の収率でアルデヒドを得た。
【表１】
2004501881.tif 000002
【国際公開パンフレット】
2004501881.tif 000004
2004501881.tif 000005
2004501881.tif 000006
2004501881.tif 000007
2004501881.tif 000008
2004501881.tif 000009
【国際調査報告】
2004501881.tif 000010
2004501881.tif 000011
2004501881.tif 000012
2004501881.tif 000013
2004501881.tif 000014
2004501881.tif 000015
(57)【要約】金属で作製された部品（１）、この部品（１）に接して、高温接着剤（３）によって前記部品（１）に接着されている中間層（２）、及び前記中間層（２）に接している低温接着剤（４）から成ることを特徴とする改良型装丁要素。
2004501801.tif 000002
【特許請求の範囲】
【請求項１】
金属で作製された部品（１）、この部品（１）に接して、高温接着剤（３）によって前記部品（１）に接着されている中間層（２）、及び前記中間層（２）に接している低温接着剤（４）から成ることを特徴とする改良型装丁要素。
【請求項２】
前記中間層（２）が、一枚の紙によって形成されることを特徴とする請求項１に記載の改良型装丁要素。
【請求項３】
高温接着剤（３）により、接着剤が、１３０℃超の溶融温度を有すると理解されることを特徴とする請求項１に記載の改良型装丁要素。
【請求項４】
低温接着剤（４）により、接着剤が、１３０℃未満の溶融温度を有すると理解されることを特徴とする請求項１に記載の改良型装丁要素。
【発明の詳細な説明】
【０００１】
本発明は、改良型装丁要素に関するものであり、更に詳しくは、熱の作用のもとで溶融するかなりの量の接着剤が、背（ｂａｃｋ）の内側に供給されることによるタイプの装丁要素であり、それによると、この目的は、接着剤が固化した後に紙片又は書類が確実な方法で固定されるような方法で、この溶融接着剤の中に前記の多数の紙片又は書類の端部を適用することである。
【０００２】
更に詳しくは、本発明は、そのような装丁要素に関するものであり、装丁要素の背は、或る形状にまで折り曲げられることもあり、折り曲げられないこともある金属薄板によって形成されていて、それにより前記量の接着剤がこの金属薄板に供給される。
【０００３】
紙片、書類等の理想的装丁には、装丁用接着剤の中に書類を挿入するために書類を軽く叩くことを必要とはせずに、所謂、装丁用接着剤は、書類の自重によって装丁用接着剤の中に沈降することが出来るような、水と同じような流動状態にして供給されなければならないことが知られている。
【０００４】
この方法では、前記装丁用接着剤の加熱は、何等別の手段を介することなく或る時間後に停止することが出来、それに続いて冷却を行なうことが出来る。
【０００５】
前記の状況だけに基づいて真の自動装丁について述べることが可能である。
【０００６】
具体的実施態様では、前記の背はＵ字形状で実施され、その場合、溶融性の装丁用接着剤が前記の背の底面部に供給される。
【０００７】
しかしながら、これの重大な欠点は、溶融性接着剤が硬い金属の背に充分に接着しないことである。
【０００８】
従って、本発明は、前記溶融性接着剤又は装丁用接着剤と前記金属の背との間の完全な接合が簡単な方法で得られる改良に関する。
【０００９】
前記の装丁要素又は装丁ファイルの中に供給される装丁用接着剤は、これらの装丁用接着剤が具体的に薄紙、厚紙等を極めて旨いやり方で接着出来るように設計され、そしてそのような特徴を発現することが知られている。
【００１０】
しかしながら、これの欠点は、これらの装丁用接着剤が金属に充分に接着しないことである。
【００１１】
同時に、装丁要素又は装丁ファイルの一部分を形成する、例えばＰＶＣ、ＰＰ等のような別に考えられる合成材料が熱的にダメージを受ける場合があるので、前記装丁用接着剤の温度は１３０℃を超えることが出来ないことが知られている。
【００１２】
従って、現在の問題は、１３０℃未満で実際に極めて流動性があり極めて旨いやり方で薄紙、厚紙等を接着する装丁用接着剤が装丁要素又は装丁ファイルの背のような硬い金属の要素に接着し難いことである。
【００１３】
前記装丁用接着剤が極めて旨いやり方で薄紙、厚紙等を接着し、しかも例えば、鋼のような金属にも極めて旨いやり方で接着する時はこの装丁用接着剤は１３０℃より高くても殆ど流動性がないので、これらの紙片、書類等は自力で装丁用接着剤の中に沈降しなくて、軽く叩くことにより紙片、書類等を打ち込まなければならないことも知られている。
【００１４】
従って、本発明によると、低い温度、言い換えれば、１３０℃未満で極めて流動性があり、しかも同時に紙ばかりでなく金属をも旨いやり方で接着する装丁用接着剤が適用される。
【００１５】
同時に、１３０℃未満で極めて流動性となる既知の装丁用接着剤は、極めて旨く接着が行なわれるように、従来の加工段階で金属に適用されることが出来る。
【００１６】
この目的に対して、例えば１３０℃超でのみ溶融して金属と紙との間に優れた接合を形成する接着剤により、先ず、中間層を金属上に実現することが出来る、それが終わると、１３０℃未満で溶融する装丁用接着剤がこの中間層に接して供給される。
【００１７】
こうすることにより、この中間層は紙で形成することが出来る。
【００１８】
前記及びその他の長所をもたらすこの改良は、金属から成る部品、この部品に接して、高温接着剤によりこの部品に接着されている中間層、及び前記中間層に接している低温接着剤４から実質的に成る。
【００１９】
本発明の特性を更によく示すことを目的として、以後、何等の限定的性質を含まない例として、本発明による改良の実施形態の好ましい形態を図面を参照して説明するが、図１は、紙片、書類等と装丁要素、装丁ファイル等の金属の背との接合を示す概略図である。
【００２０】
本発明によると、図１では、金属で作製された部品１には高溶融温度、例えば１３０℃超、を有する接着剤３により金属１の薄板に接着される紙２の層が供給され、その後で、紙２のこの枚葉紙には、低溶融温度、例えば１３０℃未満、を有する従来の接着剤４が供給される。
【００２１】
中間層２として任意の材料を選ぶことが出来ることは明白である。
【００２２】
本発明は、例として説明され、そして図面に描かれている実施形態には決して限定されない。それどころか、本発明の範囲を逸脱することなくいろいろな形態、寸法及び組成物を使用することが可能である。
【図面の簡単な説明】
【図１】
紙片、書類等と装丁要素、装丁ファイル等の金属の背との接合を示す概略図である。
【符号の説明】
１　金属製部品
２　中間層
３　高温接着剤
４　低温接着剤
【国際公開パンフレット】
2004501801.tif 000003
2004501801.tif 000004
2004501801.tif 000005
2004501801.tif 000006
2004501801.tif 000007
2004501801.tif 000008
2004501801.tif 000009
2004501801.tif 000010
【国際調査報告】
2004501801.tif 000011
2004501801.tif 000012
2004501801.tif 000013
(57)【要約】金型外壁で包囲された少なくとも１個のキャビティー内で成形部材を製造する方法であって、成形金型の外壁の温度および金型内部圧力が測定および分析され、この分析に基づいて、噴射速度、再加圧力、再加圧時間および／または金型温度の制御が実行される。【特許請求の範囲】
【請求項１】
金型外壁で包囲された少なくとも１個のキャビティー内で成形部材を製造する方法であって、
成形金型の外壁の温度が測定および分析され、この分析に基づいて、噴射速度、再加圧力、再加圧時間および／または金型温度の制御が実行されることを特徴とする成形金型内で成形部材を製造する方法。
【請求項２】
内部圧力がキャビティー内で測定され、かつ処理パラメータの制御のために抽出されることを特徴とする請求項１記載の方法。
【請求項３】
内部圧力が注入孔の近傍において測定されることを特徴とする請求項２記載の方法。
【請求項４】
測定された温度および／または内部圧力が、同じパラメータの基準値に基づいて、グラフ化して表示されることを特徴とする請求項１ないし３の何れか１項記載の方法。
【発明の詳細な説明】
【技術分野】
【０００１】
この発明は、金型外壁で包囲された少なくとも１個のキャビティー内で、成形部材を製造する方法に関する。
【背景技術】
【０００２】
過去において（例えばＥＰ  ０  ０８７  ０６９  Ａ１号明細書において）、可及的に一定した射出成形および加圧成形機械の機械的調整によってこそ、同様に一定した成形部材を生産できるのであることが強調されていた。それに加えて、例えば材料充填の変動、粘性係数の変動、温度の影響等の多面的かつ複雑な影響により、処理条件は常に変化し易いのである。それ故にこそ、機械的調整が一定になされた場合であっても、成形部材の性質もそれに伴って変化しがちであり、すなわち生産された成形部材も種々様々となるのである。
【０００３】
射出成形過程に及ぼされる恒久的な影響を補正することを目的として、機械的パラメータ（媒介変数）の調整が定期的に実行されることは是非とも必要である。これは現在では、ヨーロッパ特許出願公開第ＥＰ  ０  ８９７  ７８６  Ａ２号中の記載によれば、成形金型内部圧力が測定され、かつ分析されるという方式で遂行されている。その分析の結果は、調整パラメータの修正である。再加圧力および再加圧時間に関して、噴射速度の変化が測定される。個々の処理段階は、金型内部圧力変化過程に基づいて時間的に分析され、何が処理ノウハウにおいての重点的要素を前提条件として提起しているかということが解明される。
【発明の開示】
【０００４】
この発明の課題は、変化させるべきパラメータの個数を可能な限り少なく保ち、そのパラメータの分析を簡略化するための方法、あるいは類似の手法を提供することにある。
【０００５】
前記課題を解決するために、金型外壁の温度が測定されて分析され、その分析に基づいて噴射速度、再加圧力、再加圧の速度および／または金型温度の各制御が実行される。
【０００６】
（発明の簡単な要約）
好ましくは金型外壁温度の測定は、金型内部圧力の測定と共に実行される。そこで測定された物理的性質を基礎にして、必要な推論を、調整パラメータに基づいて誘導することができる。
【０００７】
とりわけ生産された成型部材の収縮性は、  一定に維持される。１個の温度調節循環路だけを持つ小寸法の被成形部材の場合は、好ましくはキャビティーの一端で、すなわち充填段階の末端で温度が測定される。大寸法の被成形部材の場合は、好ましくは各温度調節循環路の区域内おいて温度が測定される。
【０００８】
さらに金型外壁温度は、冷却時間の温度依存制御に貢献して、充填圧力から再加圧力への切り替えを規定し、また多数個取り成形金型の場合の容積充填の均衡をとる。
【０００９】
この制御方法を簡便に、特に行程に依存しないように実行するためには、測定されたパラメータが、時間にではなくて、むしろ同じパラメータの基準値に基づいてグラフ化されることが必要である。実際の測定値と基準値とが完全に一致する場合には、４５°直線が得られる。これにより操作に当たる人員の如何に拘わることなく、この方法の適用が簡略化される。
【００１０】
この発明による方法の利点は、簡単な方法で最適な金型成形部材を恒常的に生産することにある。
【国際公開パンフレット】
2004529005.tif 000002
2004529005.tif 000003
2004529005.tif 000004
2004529005.tif 000005
2004529005.tif 000006
【国際調査報告】
2004529005.tif 000007
2004529005.tif 000008
2004529005.tif 000009
2004529005.tif 000010
2004529005.tif 000011
2004529005.tif 000012